(57)【要約】【課題】  従来のアラーム電子機器は、騒音の激しい場所では警報音に気づき難く、又、目覚まし時計としては音が発生する為に周囲の人に迷惑をかける。振動式とした場合でも消費電力に制約があるため、振動幅を大きく出来ない。よって、使用者が感知するに十分な振動幅が得られ、且つ、該腕時計の電源から十分な電力を供給するためのバッテリーを配置した腕時計式電子機器を提供するものである。【解決手段】  アラーム警報の報知を振動式とすることで、腕に直接振動が当たるため、騒音に関係なく報知され、且つ、メッセージ表示により予定を確認することができる。電源としては着脱可能な充電式バッテリーとし、随時充電できるものとする。又、その配置は電子機器本体２とつなぎ３１を介したリストバンド４１ａの間とすることにより解決できる。【選択図】      図１
2011203277.tif 000002
【特許請求の範囲】
【請求項１】
電子機器本体と、リストバンドとを具えた腕時計式電子機器において、
前記電子機器本体と前記リストバンドの一方側との間に、充電用機器により充電可能な蓄電手段を、前記充電用機器の端子が接続される端子口を有する第１の筐体に収納して配置し、且つ、前記電子機器本体と前記リストバンドの他方側との間に、振動を直接身体で感知させる振動発生手段を、前記電子機器本体と接続される第２の筐体に収納して配置してなることを特徴とする腕時計式電子機器。
【請求項２】
充電用機器は、充電用プラグを有する充電用アダプターで構成されているとともに、蓄電手段は、充電式バッテリーで構成され、該充電式バッテリーは、前記充電用プラグが接続される充電用ジャックを有する第１の筐体に収納して配置されている請求項１記載の腕時計式電子機器。
【請求項３】
第１の筐体及び第２の筐体は、ヒンジを介して電子機器本体と接続されている請求項１又は２記載の腕時計式電子機器。
【請求項４】
振動発生手段は、振動モーターで構成されている請求項１ないし３のいずれかに記載の腕時計式電子機器。
【請求項５】
第２の筐体は、つなぎを介してリストバンドの他方側に接続されている請求項１ないし４のいずれかに記載の腕時計式電子機器。
【請求項６】
電子機器本体は、メモリーを備えるとともに、情報端末器と通信用ケーブルにより接続可能に構成され、該情報端末器のキースイッチ操作部にて入力されたアラーム予約設定時刻及びメッセージを、前記ケーブルを介して受信して前記メモリーに入力保存すると同時に、アラーム用タイマーを始動させるように構成されている請求項１ないし５のいずれかに記載の腕時計式電子機器。
【請求項７】
電子機器本体は、表示部を備え、アラーム予約設定時刻が現時刻に達した時、振動発生手段を始動させると同時に、メモリーに保存したメッセージを表示部に表示する請求項６記載の腕時計式電子機器。
【発明の詳細な説明】
【技術分野】
【０００１】
本発明は、腕時計式電子機器の構造及び構成に関する。
【背景技術】
【０００２】
従来の腕時計式電子機器のバッテリーは、該電子機器本体内部に収納する構造の物が一般的であり、その結果、振動モーター及びバッテリーの容積分、電子機器本体が大きなものとなり、腕時計式電子機器全体としてバランスを欠いたものになる。
【０００３】
従って、前記のような電子機器用である振動モーター及びバッテリーの収納配置はあまり現実的ではない。
【０００４】
又、バッテリーに関しては、非充電式バッテリーで、且つ、該電子機器本体内に収納することを前提としているため、容量の大きいものは使用しないので、前記の電子機器でアラームが作動すると、バッテリーの電圧低下のため時計に誤作動が生じる場合もある。
【０００５】
従って、バッテリーの交換回数の頻度も多くなる、という欠点を有している。
【０００６】
従って、該電子機器の電源としては、比較的大きな電流の安定した供給ができるものが望ましい。又、予約設定時刻に関しては、時刻設定した後、長時間経過した場合に、その設定した時刻の目的を忘れてしまうこともある。
【発明の概要】
【発明が解決しようとする課題】
【０００７】
以上に述べたように、腕時計式電子機器に搭載できる振動モーターは、容積の制限をうけるため、携帯電話のものより小型になり、発生する振動が弱くなる結果となった。又、バッテリーに関しても搭載できるものは小型になるために、十分な電流容量を得ることができない。
【０００８】
このようなことから、従来の腕時計式電子機器では十分な振動幅を得るには限界がある。
【課題を解決するための手段】
【０００９】
前記課題を解決するため、本発明は振動モーターを搭載する腕時計式電子機器に対し以下のような手段をとる。
【００１０】
請求項１に記載の発明は、電子機器本体と、リストバンドとを具えた腕時計式電子機器において、前記電子機器本体と前記リストバンドの一方側との間に、充電用機器により充電可能な蓄電手段を、前記充電用機器の端子が接続される端子口を有する第１の筐体に収納して配置し、且つ、前記電子機器本体と前記リストバンドの他方側との間に、振動を直接身体で感知させる振動発生手段を、前記電子機器本体と接続される第２の筐体に収納して配置してなることを特徴とする。
【００１１】
前記のように容量の大きい蓄電手段及び振動発生手段を電子機器本体と切り離して配置することにより、該電子機器本体の厚さ又は大きさを抑えることができる。又、充電するための充電用機器の端子が接続される端子口を蓄電手段の筐体部分に取り付けることで、その分の電子機器本体の容積分だけ小型化できる。
【００１２】
請求項２に記載の発明は、請求項１記載の腕時計式電子機器において、充電用機器は、充電用プラグを有する充電用アダプターで構成されているとともに、蓄電手段は、充電式バッテリーで構成され、該充電式バッテリーは、充電用プラグが接続される充電用ジャックを有する第１の筐体に収納して配置されていることを特徴とする。
【００１３】
すなわち、充電式バッテリーを電子機器本体内に収納すると本体自身が大きくなるため、電子機器本体と分離し、第１の筐体に収納して電子機器本体とリストバンドの一方側との間に配置するものである。又、充電用ジャックを電気機器本体に取り付けると、該本体の容積がその分大きくなるため、該本体を小型化するのに支障をきたす。そのため、充電するための充電用ジャックを第１の筐体に取り付けることで、その分の電子機器本体の容積分だけ小型化できる。
【００１４】
請求項３に記載の発明は、請求項１又は請求項２記載の腕時計式電子機器において、第１の筐体及び第２の筐体は、ヒンジを介して電子機器本体と接続されていることを特徴とする。
【００１５】
請求項４に記載の発明は、請求項１ないし３のいずれかに記載の腕時計式電子機器において、振動発生手段は、振動モーターで構成されていることを特徴とする。
【００１６】
請求項５に記載の発明は、請求項１ないし４のいずれかに記載の腕時計式電子機器において、第２の筐体が、つなぎを介してリストバンドの他方側に接続されていることを特徴とする。
【００１７】
請求項６に記載の発明は、請求項１ないし５のいずれかに記載の腕時計式電子機器において、電子機器本体は、メモリーを備えるとともに、情報端末器と通信用ケーブルにより接続可能に構成され、該情報端末器のキースイッチ操作部にて入力されたアラーム予約設定時刻及びメッセージを、前記ケーブルを介して受信して前記メモリーに入力保存すると同時に、アラーム用タイマーを始動させるように構成されていることを特徴とする。
【００１８】
すなわち、電子機器本体のキースイッチ操作部で文字入力できるだけのキースイッチを配置できるスペースを確保することは困難である。
【００１９】
従って、外付けの情報端末器と電子機器本体とを通信用ケーブルで接続し、情報端末器にて入力したアラーム予約設定時刻及びメッセージのデーター等を、通信用ケーブルを介して受信する。又、受信したこれらのデーターを、電子機器本体のメモリーに保存するとともに、アラーム用カウントダウンのタイマーを始動させる。
【００２０】
請求項７に記載の発明は、請求項６記載の腕時計式電子機器において、電子機器本体は、表示部を備え、アラーム予約設定時刻が現時刻に達した時、振動発生手段を始動させると同時に、メモリーに保存したメッセージを表示部に表示することを特徴とする。
【００２１】
すなわち、アラーム予約設定時刻が現時刻に達した時、トリガーパルスを発生させ、そのトリガーパルスにより、振動モーターを駆動させ、同時に、メッセージを電子機器本体のメモリーから呼び出し、表示部において図８（ａ）に示す表示画面の時刻表示が消え、（ｂ）のメッセージが表示されるものである。
【発明の効果】
【００２２】
本発明は以上のように、容量の大きい蓄電手段及び振動発生手段を電子機器本体と切り離して配置することにより、該電子機器本体の厚さ又は大きさを抑えることができる。又、充電するための充電用機器の端子が接続される端子口を蓄電手段の筐体部分に取り付けることで、その分の電子機器本体の容積分だけ小型化できる。しかも、十分な電流容量を得ることができる。又、設定時刻を感知する方法が振動のため、他人に知られずに振動が直接身体で感知され、使用者本人だけに設定した時刻に達したことを報知するものであり、ビジネスマン、時間単位で活躍している者にとって、約束時間に遅れること、約束を忘れること、等の防止に役立つものである。
【図面の簡単な説明】
【００２３】
【図１】通信ケーブル用ジャック及び充電用ジャックの取り付け配置を示した腕時計式電子機器の斜視図である。
【図２】表示切替スイッチを取り付けた側を示した腕時計式電子機器の斜視図である。
【図３】腕時計式電子機器を上方向から視た図である。
【図４】腕時計式電子機器を横方向から視た図である。
【図５】腕時計式電子機器を装着したと仮定した場合の横方向から視た図である。
【図６】充電用アダプターの全体図である。
【図７】情報端末器の全体図である。
【図８】腕時計式電子機器の表示部とキースイッチ操作部を表した図である。
【図９】通信用ケーブル図である。
【発明を実施するための形態】
【００２４】
以下に本発明の実施の形態の一例を図面に基づいて説明する。
【００２５】
図１は本発明の第一実施例を示す腕時計式電子機器１である。腕時計式電子機器１は、主に、液晶表示部３、キースイッチ操作部４及び内装部５からなる電子機器本体２、その電子機器本体２の両端にヒンジ付振動発生器（振動発生手段）である振動モーター１２の筐体１１及び蓄電手段である充電式バッテリー２２を収納している筐体２１を配置しているものである。
【００２６】
振動モーター１２の筐体１１及び充電式バッテリー２２の筐体２１は、空洞部分を有し、その中を介して該電子機器本体２と振動モーター１２間及び電子機器本体２と充電式バッテリー２２間は配線される。
【００２７】
さらに、その振動モーター１２の筐体１１につなぎの３１を介してリストバンド４１ａが配置されているという構成のものである。これは、振動モーター１２で発生する振動を抑制しないためのものであり、又、充電式バッテリー２２の筐体２１は直接リストバンド４１ｂに接続されるものである。
【００２８】
内装部５にはクロック発信機、メモリー、時刻やデーターの表示及び演算や入出力を行う電子部品、及びそれら内蔵品を固定するための基盤が含まれる。
【００２９】
以上のように構成された腕時計式電子機器１は、図６に示すように、付属品として充電用アダプター８０を備え、随時充電用プラグ８２を介して充電できるものとする。該プラグ８２及び充電用ジャック２３の形状は他のものであっても構わない。
【００３０】
図７に示す情報端末器６０は通信用ケーブル５０により、該電子機器本体２に接続し、該情報端末器６０のキースイッチ操作部６４にてアラーム予約設定時刻及びメッセージを入力する。
【００３１】
入力時にメッセージ等の確認をする場合はスクロールスイッチ６２，６３を用いる。上方にスクロールする場合はスクロールスイッチ６２、下方にスクロールする場合はスクロールスイッチ６３を用いる。
【００３２】
入力したアラーム予約設定時刻及びメッセージを、情報端末器６０のキースイッチ操作部６４にて電子機器本体２に送信する。アラーム予約設定時刻はアラーム用カウントダウンのタイマーをスタートさせる。
【００３３】
又、メッセージのデーターは該電子機器本体２のメモリーに入力保存される。設定したアラーム予約設定時刻が現在時刻に達した時、メッセージのデーターは呼び出され、図８（ｂ）に示すように、電子機器本体２の表示部３にメッセージを表示する。
【００３４】
該情報電子機器６０を接続しないでアラーム予約設定時刻を入力する場合は、該電子機器本体２のキースイッチ操作部４を用いて行う。メッセージの入力は該キースイッチ操作部４では入力できない。
【００３５】
図３は、２個の偏重心の分銅１３ａ，１３ｂを取り付けた振動モーター１２を該電子機器本体２の片側に取り付けたものである。
【００３６】
又、その２個の分銅１３ａ，１３ｂは、お互いに１８０度の角度を持たせた対称点に固定されているが、同方向に固定したものでも構わない。しかし、この場合、振動モーター１２全体が同一方向に振動するため、発生する振動は異なったものとなる。
【００３７】
図４及び図５は、振動モーター１２により発生する振動は、腕の撓骨に振動を伝えるものである。
【符号の説明】
【００３８】
１  腕時計式電子機器
２  電子機器本体
３  表示部
４  キースイッチ操作部
５  内装部
６  電子機器本体側データー通信用ケーブル接続ジャック
１１  振動モーターの筐体（第２の筐体）
１２  振動モーター
１３ａ，１３ｂ  偏重心の分銅
１４  振動モーター停止スイッチ
１５  表示切替スイッチ
２１  充電式バッテリーの筐体（第１の筐体）
２２  充電式バッテリー
２３  充電用ジャック（端子口）
３１  つなぎ
４１ａ，４１ｂ  リストバンド
５０  通信用ケーブル
５１，５２  プラグ
６０  情報端末器
６１  情報端末器の画面表示部
６２，６３  スクロールスイッチ
６４  情報端末器のキースイッチ操作部
６５  電源スイッチ
６６  情報端末器側データー通信用ジャック
６７，６８，６９，７０，７１，７２  機能スイッチ
８０  充電用アダプター(充電用機器）
８１  充電用アダプター本体
８２  充電用プラグ（端子）
【図１】
2011203277.tif 000003
【図２】
2011203277.tif 000004
【図３】
2011203277.tif 000005
【図４】
2011203277.tif 000006
【図５】
2011203277.tif 000007
【図６】
2011203277.tif 000008
【図７】
2011203277.tif 000009
【図８】
2011203277.tif 000010
【図９】
2011203277.tif 000011